(57)【要約】【課題】プリント基板（ＰＣＢ）の製造工程で硬化していないＬＰＲインクを薬液で除去して回路パターンを形成するための現像システムに関する技術であって、現像室の内部で基板を垂直状態で搬送しながら薬液を基板に均一に噴射して現像工程を行うことにより、工程が連続的に進む一方で、現像工程にかかる時間を短縮し、併せて基板を垂直状態で搬送しながら薬液を噴射して現像工程を行うので、工程の歩留まりを一層高める基板現像システムを提供する。【解決手段】本発明の基板現像システムは、フレームに密閉空間として実現された現像室と、前記現像室の内部空間で基板を垂直状態で搬送する搬送手段と、前記現像室の内部空間において垂直状態で搬送される基板に薬液を均一に噴射する噴射手段と、前記現像室の内部空間で基板に噴射された薬液を集水し、前記噴射手段に薬液をポンピングして供給するポンピング手段とを含んでなり、前記噴射手段は上下に昇降作動しながら基板に薬液を均一に噴射することを特徴とする。【選択図】図１
2017076639.tif 000002
【特許請求の範囲】
【請求項１】
フレームに密閉空間として実現された現像室と、
前記現像室の内部空間で基板を垂直状態で搬送する搬送手段と、
前記現像室の内部空間で垂直状態で搬送される基板に薬液を均一に噴射する噴射手段と、
前記現像室の内部空間で基板に噴射された薬液を集水し、前記噴射手段に薬液をポンピングして供給するポンピング手段とを含んでなり、
前記噴射手段は上下に昇降作動しながら基板に薬液を均一に噴射することを特徴とする、基板現像システム。
【請求項２】
前記搬送手段は、
モーターの駆動力の伝達を受けて回転し、一定の間隔で設置された多数の駆動ローラーと、前記多数の駆動ローラーの上に置かれて水平に搬送され、上下垂直状にフレームが構成された治具と、前記治具の上部と下部に設置され、基板を垂直状態で把持する多数のクランプとから構成されたことを特徴とする、請求項１に記載の基板現像システム。
【請求項３】
前記噴射手段は、
四角枠状をし、両側部に一対から構成されたフレームと、前記フレームに上下一定の間隔で取り付けられ、多数のノズルを有する噴射管と、前記フレームの両側部に上下垂直状に設置された案内レールと、前記フレームの両側部に回転可能に設置され、前記案内レールに乗って駆動する昇降ローラーと、前記フレームの上部に駆動軸で結合されて設置され、前記駆動軸を上下作動させて前記フレームを昇降させる駆動部とを含んでなることを特徴とする、請求項１に記載の基板現像システム。
【請求項４】
前記フレームは、基板の面積よりも大きい空間が備えられるように四角枠状に実現され、基板の両側部に一定の距離で離隔して位置するように現像室の内部空間に一対から構成され、前記噴射管は、前記フレームの内側空間を横切って両側部の縁部に上下一定の間隔で取り付けられ、一側方向が下方に傾くように設けられたことを特徴とする、請求項３に記載の基板現像システム。
【請求項５】
前記ポンピング手段は、前記現像室の底部に下方に傾くように設けられたた集水槽と、前記集水槽に連設される集水ダクトと、前記集水ダクトに連設されるフィルターおよびタンクと、前記タンクに収容された薬液をポンピングするポンプとを含んでなることを特徴とする、請求項１に記載の基板現像システム。
【発明の詳細な説明】
【技術分野】
【０００１】
本発明は、プリント基板（ＰＣＢ）の製造工程で硬化していないＬＰＲインクを薬液で除去して回路パターンを形成するための現像システムに係り、より詳しくは、密閉された形態で実現される現像室と、現像室の内部で基板を垂直状態で搬送する搬送手段と、垂直状態で搬送される基板に薬液を均一に噴射する噴射手段と、噴射手段に薬液をポンピングして供給するポンピング手段とを含んでなり、現像室の内部で基板を垂直状態で搬送しながら薬液を基板に噴射して現像工程を行うことにより、工程が連続的に進行する一方で、現像工程にかかる時間を短縮し、併せて基板を垂直状態で搬送しながら薬液を噴射して現像工程を行うので、工程の歩留まりを一層高める基板現像システムに関する。
【背景技術】
【０００２】
一般に、プリント基板（ＰＣＢ）は、電気・電子製品で最も基礎となる部品であって、生活の中でＬＣＤ  ＴＶ、ＤＶＤ、コンピュータ、ノートパソコン、デジタルカメラ、およびモバイルフォン（Ｍｏｂｉｌｅ  ｐｈｏｎｅ）、ＰＤＡ、ＭＰ３などの電気・電子製品に広範囲に適用されており、デジタル方式の急速な発展と半導体開発の先端化に伴う小型化、高密度および高機能によりその活用度が益々拡大している。
【０００３】
このようなプリント基板（ＰＣＢ）の製造工程は、基本的に、露光（Ｉｎｎｅｒ  Ｌａｔｅｒ  Ｅｘｐｏｓｉｎｇ）−ＤＦ現像（Ｄｒｙ  Ｆｉｌｍ  Ｄｅｖｅｌｏｐｉｎｇ）−エッチング（Ｅｔｃｈｉｎｇ）−剥離（Ｓｔｒｉｐｐｉｎｇ）工程の順で行われる。ここで、露光工程は、回路形成のための工程であって、コアの表面のコートされたＬＰＲインクに露光用フィルムを被覆した後、ＵＶを照射して必要な部分（ＵＶを受けたＬＰＲインク）を光硬化させる工程である。
【０００４】
また、ＤＦ現像工程は、回路を形成するために銅箔の上にＤＦ現像液を回路のパターン形態で残す工程であり、エッチング工程は、ＤＦ現像液が残されていない銅箔をエッチング液を用いて除去する工程であり、剥離工程は、エッチング工程の後、銅箔の上に残されているＤＦ現像液をアルカリ（Ａｌｋａｌｉ）溶液を用いて除去する工程である。
【０００５】
従来、現像工程で回路パターン以外の部分を薬液で除去するための現像システムは、一般なＤｉｐ型であって、溶液（薬液）が収容されたタンク内に基板（ＰＣＢ）を浸漬し、一定の時間薬液の化学作用によって回路パターン以外の部分を除去して現像工程を行う方式である。
【０００６】
したがって、従来のＤｉｐ型現像システムは、タンクの大きさに応じて、薬液に浸漬可能な基板の数量が限定されるうえ、一定の時間化学作用が行われなければならないので、現像工程にかかる時間が長く、タンクに収容された薬液を交換する場合には一度に多量の薬液を交換しなければならないという問題点がある。
【先行技術文献】
【特許文献】
【０００７】
【特許文献１】韓国特許登録第１０−１０１９１５４号公報
【特許文献２】韓国特許登録第１０−１１０３７６７号公報
【発明の概要】
【発明が解決しようとする課題】
【０００８】
本発明は、従来の基板現像システムで現像工程にかかる時間が長く、基板に薬液が均一に噴射されないため現像の効率および工程の歩留まりが著しく低下する問題点を改善するために案出された技術であって、その目的は、現像室の内部で基板を垂直状態で搬送しながら薬液を基板に均一に噴射して現像工程を行うことにより、工程が連続的に進行する一方で、現像工程にかかる時間を短縮し、併せて基板を垂直状態で搬送しながら薬液を噴射して現像工程を行うので、現像の効率および工程の歩留まりを一層高める基板現像システムを提供することにある。
【課題を解決するための手段】
【０００９】
上記目的を達成するための本発明の実施形態は、フレームに密閉空間として実現された現像室と、前記現像室の内部空間で基板を垂直状態で搬送する搬送手段と、前記現像室の内部空間で垂直状態で搬送される基板に薬液を均一に噴射する噴射手段と、前記現像室の内部空間で基板に噴射された薬液を集水し、前記噴射手段に薬液をポンピングして供給するポンピング手段とを含んでなり、前記噴射手段は上下に昇降作動しながら基板に薬液を均一に噴射することを特徴とする、基板現像システムを提供する。
【００１０】
また、本発明の実施形態において、搬送手段は、モーターの駆動力の伝達を受けて回転し、一定の間隔で設置された多数の駆動ローラーと、前記多数の駆動ローラーの上に置かれて水平に移送され、上下垂直状にフレームが構成された治具と、前記治具の上部と下部に設置され、基板を垂直状態で把持する多数のクランプとから構成されたことを特徴とする。
【００１１】
また、本発明の実施形態において、噴射手段は、四角枠状をし、両側部に一対から構成されたフレームと、前記フレームに上下一定の間隔で取り付けられ、多数のノズルを有する噴射管と、前記フレームの両側部に上下垂直状に設置された案内レールと、前記フレームの両側部に回転可能に設置され、案内レールに乗って駆動する昇降ローラーと、前記フレームの上部に駆動軸で結合されて設置され、駆動軸を上下に作動させてフレームを昇降させる駆動部とを含んでなる。
【発明の効果】
【００１２】
本発明の実施形態によれば、密閉された形態で実現される現像室と、現像室の内部で基板を垂直状態で搬送する搬送手段と、垂直状態で搬送される基板に薬液を均一に噴射する噴射手段と、噴射手段に薬液をポンピングして供給するポンピング手段とを含んでなり、現像室の内部で基板を垂直状態で搬送しながら薬液を基板に噴射して現像工程を行うことにより、工程が連続的に進行する一方で、現像工程にかかる時間を短縮するという効果がある。
【００１３】
また、本発明の実施形態によれば、基板を垂直状態で搬送しながら薬液を基板に均一に噴射して現像工程を行うので、現像の効率および工程の歩留まりを一層高める一方で、現像室で基板に噴射された薬液を集水して濾過した後、再利用するので、薬液の使用時間が長く、効率性に優れるという効果がある。
【図面の簡単な説明】
【００１４】
【図１】本発明の設置状態を示す要部側面図である。
【図２】本発明の設置状態を示す要部正面図である。
【図３】本発明の搬送手段と噴射手段を示す要部側面図である。
【図４】本発明の搬送手段を示す要部側面図である。
【図５】本発明の噴射手段を示す要部正面図である。
【図６】本発明で基板の現像状態を示す要部平面図である。
【図７】本発明の噴射手段の下降作動状態を示す要部正面図である。
【図８】本発明の噴射手段の上昇作動状態を示す要部正面図である。
【発明を実施するための形態】
【００１５】
以下、添付図面を参照して本発明の実施形態に係る主要構成を説明する。
【００１６】
フレーム１１に密閉空間として実現された現像室１０と、前記現像室１０の内部空間で基板Ｐを垂直状態で搬送する搬送手段２０と、前記現像室１０の内部空間において垂直状態で搬送される基板Ｐに薬液を均一に噴射する噴射手段３０と、前記現像室１０の内部空間で基板Ｐに噴射された薬液を集水し、噴射手段３０に薬液をポンピングして供給するポンピング手段４０とを含んでなり、前記噴射手段３０は上下に昇降作動しながら基板Ｐに薬液を均一に噴射することを特徴とする、
【００１７】
本発明の実施形態は、現像室１０の内部空間で基板Ｐを垂直状態で搬送しながら基板Ｐに薬液を噴射して現像工程を行う現像システムであって、図１および図２に示すように、現像室１０、搬送手段２０、噴射手段３０及びポンピング手段４０から構成され、現像室１０で基板Ｐに噴射された薬液を集水して濾過した後、ポンピング手段４０を介して噴射手段３０へ供給して再利用する。
【００１８】
前記実施形態の主要構成において、現像室１０は、図１および図２に示すように、現像工程でフレーム１１上に四角枠状に構成され、できる限り密閉空間として実現され、前記現像室１０の内部空間に後述の搬送手段２０と噴射手段３０が備えられる。
【００１９】
前記現像室１０は、できる限り密閉空間として実現された状態で基板Ｐが搬送手段２０を介して一側方向に搬送できるように所定の長さ（２〜５ｍ）で構成され、外部から現像室１０内の作業状態を肉眼で確認することができるようにガラスドアが設置できる。
【００２０】
また、前記実施形態の主要構成において、搬送手段２０は、現像室１０の内部空間で基板Ｐを垂直状態で搬送する機能をする。前記搬送手段２０は、図１〜図４に示すように、モーターの駆動力の伝達を受けて回転し、一定の間隔で設置された多数の駆動ローラー２１と、前記多数の駆動ローラー２１の上に置かれて水平に移送され、上下垂直状にフレームが構成された治具２３と、前記治具２３の上部と下部に設置され、基板Ｐを垂直状態で把持する多数のクランプ２４とから構成される。
【００２１】
前記現像室１０の底部に一定の間隔で回転可能に多数のシャフト２２が設置され、前記シャフト２２の両側に一定の距離で離隔して多数の駆動ローラー２１が結合設置され、一側部に設けられた駆動部２１ａからモーターの駆動力が多数のシャフト２２へ伝達されることにより、モーターの駆動によって多数の駆動ローラー２１が回転作動する。
【００２２】
一方、前記治具２３は、駆動ローラー２１上にベースプレートが置かれて駆動ローラー２１に乗って水平に移送され、前記ベースプレートの上部中間部分に上下垂直状にフレームが構成される一方で、フレームの上部と下部にそれぞれ多数のクランプ２４が設置される。
【００２３】
前記治具２３に構成されたフレームは、基板Ｐの面積よりも大きい空間が備えられるように四角枠状をし、前記フレームの上部と下部に基板Ｐを垂直状態で把持する多数のクランプ２４が設置され、前記クランプ２４は、フレームに備えられた空間内に基板Ｐが置かれるように基板Ｐの上下縁部を把持する。
【００２４】
したがって、搬送手段２０は、多数のクランプ２４に基板Ｐが垂直状態で把持され、クランプ２４の設置された治具２３が多数の駆動ローラー２１に乗って水平に移送されることにより、結果として、現像室１０の内部空間で基板Ｐを垂直状態で搬送する。
【００２５】
また、前記実施形態の主要構成において、噴射手段３０は、現像室１０の内部空間において垂直状態で搬送される基板Ｐに薬液を均一に噴射する機能をする。前記噴射手段３０は、図１〜図３及び図５〜図８に示すように、四角枠状をし、両側部に一対から構成されたフレーム３１と、前記フレーム３１に上下一定の間隔で取り付けられ、多数のノズル３３を有する噴射管３２と、前記フレーム３１の両側部に上下垂直状に設置された案内レール３４と、前記フレーム３１の両側部に回転可能に設置され、案内レール３４に乗って駆動する昇降ローラー３５と、前記フレーム３１の上部に駆動軸３７で結合設置され、駆動軸３７を上下作動させてフレーム３１を上下に移動させる駆動部３６とを含んでなる。
【００２６】
前記フレーム３１は、基板Ｐの面積よりも大きい空間が備えられるように四角枠状をし、垂直状態で搬送される基板Ｐの両側部に一定の距離で離隔して位置するように現像室１０の内部空間に一対から構成され、一定の間隔で多数のノズル３３が装着された噴射管３２がフレーム３１に取り付けられる。
【００２７】
前記噴射管３２は、フレーム３１の内側空間を横切って両側部の縁部に上下一定の間隔で取り付けられ、一側方向が下方に傾くように設けられ、後述するポンピング手段４０を介して薬液が供給される一方で、多数のノズル３３を介して基板Ｐに薬液が微粒子として噴射される。
【００２８】
一方、案内レール３４は、フレーム３１の両側部に上下垂直状に配置されるようにフレーム３１の両側部で上下ブラケット３４ａに垂直状に設置され、フレーム３１の両側部から一定の距離だけ離隔して設置される。
【００２９】
また、昇降ローラー３５は、フレーム３１の両側部に上下に取り付けられ、ベアリングが内蔵されて回転可能に設置され、フレーム３１の両側部で垂直状に配置された案内レール３４に乗って上下駆動するように設置される。
【００３０】
前記駆動部３６は、フレーム３１を上下連続的に往復移動させる機能をするもので、駆動モーターや油圧または空圧シリンダーを適用することができ、現像室１０の外側上部に設置されることが好ましい。駆動部３６から駆動力の伝達を受けて上下に作動する駆動軸３７がフレーム３１の上部に結合設置される。
【００３１】
前記駆動軸３７は、現像室１０の外側上部に設置された駆動部３６側から、現像室１０の内部空間に設置されたフレーム３１に垂直状に設置され、駆動部３６が作動する場合、駆動軸３７が上下に作動してフレーム３１を上下連続的に往復移動させる。このとき、フレーム３１の両側部で昇降ローラー３５が案内レール３４に乗って上下駆動するので、フレーム３１が揺れることなく安定的に上下移動する。
【００３２】
したがって、噴射手段３０は、駆動部３６の作動によってフレーム３１が上下連続的に往復移動する状態で、後述するポンピング手段４０を介して噴射管３２に薬液がポンピングされてノズル３３から噴射されることにより、垂直状態で搬送される基板Ｐの両側部に薬液を均一に噴射することができる。
【００３３】
また、前記実施形態の主要構成において、ポンピング手段４０は、噴射手段３０に薬液をポンピングして供給する機能をする。前記ポンピング手段４０は、図１および図２に示すように、タンク４１、集水ダクト４２、フィルター４３及びポンプ４４から構成され、現像室１０の内部空間で基板Ｐに噴射された薬液を集水し、集水された薬液をフィルター４３で濾過した後、再循環させて使用する。
【００３４】
前記ポンピング手段４０は、現像室１０の底部に下方に傾くように設けられた集水槽４２ａと、前記集水槽４２ａに連設される集水ダクト４２と、前記集水ダクト４２に連設されるフィルター４３およびタンク４１と、前記タンク４１に収容された薬液をポンピングするポンプ４４とを含んでなる。
【００３５】
前記集水槽４２ａは、現像室１０の底部に長さ方向に設けられ、中央部分が下方に傾いて薬液を集水するように設置される。前記集水槽４２ａの下部に集水ダクト４２が結合されて現像室１０の外部に設置される。前記集水ダクト４２はフィルター４３とタンク４１に順次連設される。
【００３６】
薬液が収容されたタンク４１にポンピング管でポンプ４４が連設され、前記ポンプ４４は、タンク４１に収容された薬液をポンピングして噴射手段３０の噴射管３２へ供給し、前記噴射管３２が上下に動くことにより流動性に優れるホースを噴射管３２に連設することが好ましい。
【００３７】
したがって、ポンピング手段４０では、集水槽４２ａが現像室１０の内部空間で基板Ｐに噴射された薬液を集水し、集水された薬液が集水ダクト４２を介してフィルター４３に流入して異物が濾過された後、タンク４１に収容され、ポンプ４４がタンク４１に収容された薬液をポンピングして噴射管３２へ供給してノズル３３から噴射することにより、薬液を再循環させて使用するので、使用時間が長く、効率性に優れる。
【００３８】
このような本発明の実施形態は、現像室の内部空間で基板を垂直状態で搬送しながら、噴射管とノズルが上下連続的に移動して薬液を基板の両側部に均一に噴射することにより、現像工程にかかる時間を短縮し、現像の効率および工程の歩留まりを一層高める一方で、現像工程が連続的に行われる。
【００３９】
また、本発明の実施形態は、現像室の内部空間で基板に噴射された薬液を集水し、集水された薬液をフィルターで濾過した後、タンクに収容して再循環させて使用することにより、薬液の使用時間が非常に長く、効率性に優れる。
【００４０】
以上、本発明の好適な実施形態を参照して説明したが、本発明は、これらの実施形態に限定されるものではない。本発明の属する技術分野における通常の知識を有する者であれば、本発明の要旨から逸脱することなく、様々な変更を加え得ることを理解するであろう。
【符号の説明】
【００４１】
１０    現像室
１１    フレーム
２０    搬送手段
２１    駆動ローラー
２２    シャフト
２３    治具
２４    クランプ
３０    噴射手段
３１    フレーム
３２    噴射管
３３    ノズル
３４    案内レール
３５    昇降ローラー
４０    ポンピング手段
４１    タンク
４２    集水ダクト
４２ａ    集水槽
４３    フィルター
４４    ポンプ
【図１】
2017076639.tif 000003
【図２】
2017076639.tif 000004
【図３】
2017076639.tif 000005
【図４】
2017076639.tif 000006
【図５】
2017076639.tif 000007
【図６】
2017076639.tif 000008
【図７】
2017076639.tif 000009
【図８】
2017076639.tif 000010